(57)【特許請求の範囲】
【請求項１】
搬送される記録媒体に対してインクを吐出して記録を行なう記録ヘッドと、
記録後の前記記録媒体の搬送方向と略直行する方向に間隔をあけて前記記録媒体を一度に切断可能なカット手段と、
前記カット手段を制御する制御手段と、
を有することを特徴とする画像記録装置。
【請求項２】
前記カット手段は、前記記録媒体の搬送方向と略直行する方向に移動する二つのロータリカッターであることを特徴とする請求項１記載の画像記録装置。
【請求項３】
前記カット手段は、前記記録媒体の搬送方向と略直行する方向に移動する二つのかみそりカッターであることを特徴とする請求項１記載の画像記録装置。
【請求項４】
前記カット手段は、二つのギロチンカッターであることを特徴とする請求項１記載の画像記録装置。
【請求項５】
前記カット手段は、前記記録媒体の搬送方向と略直行する方向に伸びる二つの刃面が間隔をあけて形成され、上下方向に移動する上刃を用いた打ち抜きカッターであることを特徴とする請求項１記載の画像記録装置。
【請求項６】
搬送される記録媒体に対してインクを吐出して記録を行なう記録ヘッドと、
記録後の前記記録媒体の搬送方向と略直行する方向に間隔をあけて前記記録媒体を切断可能な二つのカット手段と、
前記二つのカット手段のうちの一つのカット手段を作動させる第１のカットモード及び前記二つのカット手段の両方を作動させる第２のカットモードを選択的に行なう制御手段と、
を有することを特徴とする画像記録装置。
【請求項７】
前記記録ヘッドを前記記録媒体の搬送方向と略直行する方向に移動させるキャリッジに、前記カッターを設けたことを特徴とする請求項２、３、６のいずれに記載の画像記録装置。
【請求項８】
前記カット手段を清掃するクリーニング手段を設けたことを特徴とする請求項１乃至７のいずれかに記載の画像記録装置。
【発明の詳細な説明】
【０００１】
【発明の属する技術分野】
本発明は、搬送される記録媒体に対してインクを吐出して記録を行う画像記録装置およびこの画像記録装置に使用される記録媒体に関する。
【０００２】
【従来の技術】
図１６は、従来の画像記録装置の構成図である。図において、ロール状に巻回された記録媒体１０００は、搬送手段としてのローラ対１００３によって、矢印Ｉ方向（副走査方向）に挟持搬送されるようなっている。
【０００３】
ローラ対１００３の下流には、記録媒体１０００の幅方向に対してインクを吐出して記録を行う記録手段１０２０が設けられている。本従来例の記録手段１０２０は、インクを吐出する記録ヘッド１０２１と、記録ヘッド１０２１を記録媒体１０００の搬送方向に対して直交する方向（主走査方向、記録媒体１０００の幅方向：図において紙面に対して垂直な方向）に搬送するキャリッジ１００２とからなっている。
【０００４】
又、記録手段１０２０の下流には、記録媒体１０００上に噴射されたインクを乾燥させるインク乾燥手段１００７が設けられている。
更に、記録媒体１０００の画像記録面と反対側の面側には、記録手段１０２０と対向し、記録媒体１０００を吸引して画像記録時の記録媒体１０００の浮き上がりを防止する吸引手段１００６が設けられている。
【０００５】
インク乾燥手段１００７の下流側には、記録媒体１０００を切断するカット手段１００５及び切断された記録媒体１０００を収納する排紙皿１００８が設けられている。
【０００６】
次に、上記構成の動作を説明する。
キャリッジ１００２が記録媒体１０００の幅方向へ移動すると共に、記録ヘッド１０２１よりインクを噴射することにより、記録媒体１０００上には幅方向にライン状の画像が記録される。
【０００７】
ライン状の画像が記録されたならば、ローラ対１００３が駆動され、記録手段１０２０が所定量矢印Ｉ方向へ移動する。
そして、また、キャリッジ１００２が記録媒体１０００の幅方向へ移動すると共に、記録ヘッド１０２１よりインクを噴射することにより、記録媒体１０００上に幅方向のライン状の画像が記録される。
【０００８】
これを繰返すことにより、記録媒体１０００上に１つの画像が記録される。
１つの画像の記録が完了したならば、ローラ対１００３により、記録された画像の終端がカット手段１００５に対向する位置まで記録媒体１０００が矢印Ｉ方向に送り出される。
【０００９】
そして、カット手段１００５が画像の終端近傍を切断し、シート状の記録媒体１０００が排紙皿１００８上に載置される。
記録媒体１０００の切断後、ローラ対１００３が、先程とは逆方向に回転し、記録媒体１０００の先端が記録手段１０２０に対向する位置まで引き戻され、次の画像記録が行われる。
【００１０】
【発明が解決しようとする課題】
しかし、上記構成の画像記録装置を用いて、ふちなし画像記録を行う場合、図１７に示すように、第１の画像Ａと第２の画像Ｂとの境界線ｌ上で切断を行うのは、機械精度上難しく、境界線ｌの前後ａ、ｂで切断することがなされる。
【００１１】
上記画像記録装置では、第１の画像Ａと第２の画像Ｂとを連続して記録し、第２の画像の形成が終了したならば、カット手段１００５を用いて境界線ｌの前後ａ、ｂを切断することとなる。
【００１２】
この切断を行っている間は、画像記録ができず、処理時間が長くなるという問題点がある。
さらに、画像記録を行った箇所を切断するので、カット手段１００５が汚れる問題点もある。
【００１３】
本発明は、上記問題点に鑑みてなされたもので、その第１の課題は、ふちなし画像記録を行っても処理時間が短い画像記録装置を提供することにある。
第２の課題は、ふちなし画像記録を行っても、カット手段が汚れない画像記録装置を提供することにある。
【００１４】
第３の課題は、ふちなし画像記録を行っても、カット手段が汚れない記録媒体を提供することにある。
【００１５】
【課題を解決するための手段】
上記課題を解決する請求項１記載の発明は、搬送される記録媒体に対してインクを吐出して記録を行なう記録ヘッドと、記録後の前記記録媒体の搬送方向と略直行する方向に間隔をあけて前記記録媒体を一度に切断可能なカット手段と、前記カット手段を制御する制御手段と、を有することを特徴とする画像記録装置である。
【００１６】
記録後の前記記録媒体の搬送方向と略直行する方向に間隔をあけて前記記録媒体を一度に切断可能なカット手段を有することにより、ふちなし画像記録を行っても処理時間が短くなる。
【００１７】
請求項２記載の発明は、前記カット手段は、前記記録媒体の搬送方向と略直行する方向に移動する二つのロータリカッターであることを特徴とする請求項１記載の画像記録装置である。
【００１８】
前記カット手段は、前記記録媒体の搬送方向と略直行する方向に移動する二つのロータリカッターであることにより、ふちなし画像記録を行っても処理時間が短くなる。
【００１９】
請求項３記載の発明は、前記カット手段は、前記記録媒体の搬送方向と略直行する方向に移動する二つのかみそりカッターであることを特徴とする請求項１記載の画像記録装置である。
【００２０】
前記記録媒体の搬送方向と略直行する方向に移動する二つのかみそりカッターであることにより、ふちなし画像記録を行っても処理時間が短くなる。
請求項４記載の発明は、前記カット手段は、二つのギロチンカッターであることを特徴とする請求項１記載の画像記録装置である。
【００２１】
前記カット手段は、二つのギロチンカッターであることにより、ふちなし画像記録を行っても処理時間が短くなる。
請求項５記載の発明は、前記カット手段は、前記記録媒体の搬送方向と略直行する方向に伸びる二つの刃面が間隔をあけて形成され、上下方向に移動する上刃を用いた打ち抜きカッターであることを特徴とする請求項１記載の画像記録装置である。
【００２２】
前記カット手段は、前記記録媒体の搬送方向と略直行する方向に伸びる二つの刃面が間隔をあけて形成され、上下方向に移動する上刃を用いた打ち抜きカッターであることにより、ふちなし画像記録を行っても処理時間が短くなる。
【００２３】
さらに、一つの上刃で記録後の前記記録媒体の搬送方向と略直行する方向に間隔をあけて前記記録媒体を一度に切断可能なことにより、コストダウンが図れる。
【００２４】
請求項６記載の発明は、搬送される記録媒体に対してインクを吐出して記録を行なう記録ヘッドと、記録後の前記記録媒体の搬送方向と略直行する方向に間隔をあけて前記記録媒体を切断可能な二つのカット手段と、前記二つのカット手段のうちの一つのカット手段を作動させる第１のカットモード及び前記二つのカット手段の両方を作動させる第２のカットモードを選択的に行なう制御手段とを有することを特徴とする画像記録装置である。
【００２５】
制御手段は、前記二つのカット手段のうちの一つのカット手段を作動させる第１のカットモード及び前記二つのカット手段の両方を作動させる第２のカットモードを選択的に行なうことにより、ふちなし画像記録を行う場合は第２のカットモードで二つのカット手段を作動させ、前記記録媒体の搬送方向と略直行する方向に間隔をあけて前記記録媒体を一度に切断する。
【００２６】
よって、ふちなし画像記録を行っても処理時間が短くなる。
さらに、第１のカットモードで二つのカット手段のうちの１つを作動させることにより、ふちあり画像記録の切断も行うことができる。
【００２７】
請求項７記載の発明は、前記記録ヘッドを前記記録媒体の搬送方向と略直行する方向に移動させるキャリッジに、前記カッターを設けたことを特徴とする請求項２、３、６のいずれかに記載の画像記録装置である。
【００２８】
前記記録ヘッドを前記記録媒体の搬送方向と略直行する方向に移動させるキャリッジに、前記カッターを設けたことにより、カッター単独で記録媒体の搬送方向と略直行する方向に移動させる機構が不要となり、コストダウンが図れる。
【００２９】
請求項８記載の発明は、前記カット手段を清掃するクリーニング手段を設けたことを特徴とする請求項１乃至７のいずれかに記載の画像記録装置である。
前記カット手段を清掃するクリーニング手段を設けたことにより、カット手段が汚れない。
【００３２】
【発明の実施の形態】
次に、図面を用いて実施の形態例を説明する。
最初に、実施の形態例の画像記録装置の全体構成を示す斜視図である図１、図１の矢印ＩＩＩ正面から見た断面構成図である図２を用いて、本実施の形態例の機械的全体構成を説明する。
【００３３】
図において、ロール状に巻回された記録媒体１は、搬送手段としてのローラ対３によって、矢印ＩＩ方向に挟持搬送されるようなっている。
尚、ローラ対３は図示しない駆動手段（後述するローラ駆動モータ３１）によって、駆動される。
【００３４】
ローラ対３の下流には、記録媒体１の搬送方向（矢印ＩＩ方向）の略直交する方向（記録媒体１の幅方向）に対してインクを吐出して記録を行う記録手段２が設けられている。
【００３５】
記録手段２において、記録媒体１の幅方向に設けられたガイドバー２３には、記録媒体１に対してインクを吐出するキャリッジ２０が移動可能に係合している。
【００３６】
ガイドバー２３の両端部には、プーリ２５がそれぞれ配置され、プーリ２５間にはワイヤ２４が巻回されている。そして、ワイヤ２４とキャリッジ２０とは連結され、一方のプーリ２５は図示しない駆動手段（後述するキャリッジ駆動モータ２６）により回転駆動されるようになっている。
【００３７】
従って、プーリ２５が駆動されることにより、キャリッジ２０はガイドバー２３に沿って移動することとなる。
尚、本実施の形態例では、ガイドバー２３は、キャリッジ２０が記録媒体１の搬送方向に対して略直交する方向の端よりはみ出してインクを吐出できるような長さに設定されている。
【００３８】
そして、記録手段２には、ガイドバー２３に沿って移動するキャリッジ２０の位置を検知するリニアエンコーダ（図示せず）９７が設けられている。
又、記録手段２の下流には、記録媒体１上に噴射されたインクを乾燥させるインク乾燥手段７が設けられている。
【００３９】
更に、記録媒体１の画像記録面と反対側の面側には、記録手段２と対向し、記録媒体１を吸引して画像記録時の記録媒体１の浮き上がりを防止する吸引手段６が設けられている。
【００４０】
ローラ対３の下流には、記録媒体１の搬送方向と略直行する方向に間隔を空けて記録媒体１を切断する第１のカット手段５及び第２のカット手段５′が設けられている。
【００４１】
第１のカット手段５は、記録媒体１の幅方向において記録媒体１を挟むように配置された一組のプーリ５２と、プーリ５２間に巻回されたワイヤ５１と、ワイヤ５１に設けられたかみそり刃５０とからなっている。又、一組のプーリ５２のうちの一方のプーリ５２は図示しない駆動手段（後述するカッター駆動モータ５３）により駆動されるようになっている。
【００４２】
同様に、第２のカット手段５′は、記録媒体１の幅方向において記録媒体１を挟むように配置された一組のプーリ５２′と、プーリ５２′間に巻回されたワイヤ５１′と、ワイヤ５１′に設けられたかみそり刃５０′とからなっている。又、一組のプーリ５２′のうちの一方のプーリ５２′は図示しない駆動手段（後述するカッター駆動モータ５３′）により駆動されるようになっている。
【００４３】
従って、プーリ５２、５２′が駆動されることにより、かみそり刃５０、５０′は記録媒体１の幅方向に移動しながら記録媒体１を切断し、シート状の記録媒体１２とする。
【００４４】
さらに、第１および第２のカット手段５、５′には、かみそり刃５０、５０′の清掃を行なうクリーニング手段としてのクリーニングパット４９、４９′が設けられている。このクリーニングパット４９、４９′にかみそり刃５０、５０′が接触するとかみそり刃５０、５０′に付着した異物が除去されるようになっている。
【００４５】
第１のカット手段５の下流側には、切断されたシート状の記録媒体１２が積載される排紙皿８が設けられている。
（キャリッジ２０）
キャリッジ２０の斜視図である図３、図３の矢印ＩＶ方向から見た図である図４、図３の矢印Ｖ方向から見た図である図５（ａ）を用いて、キャリッジ２０の詳細な説明を行う。
【００４６】
キャリッジ２０には、Ｙ（黄色）、Ｍ（マゼンタ）、Ｃ（シアン）、Ｋ（ブラック：黒）の各色のインクが貯留されるＹインクタンク２２１、Ｍインクタンク２２２、Ｃインクタンク２２３、Ｋインクタンク２２４及び、各インクタンク２２２〜２２４からのインクを吐出するＹ記録ヘッド２１１、Ｍ記録ヘッド２１２、Ｃ記録ヘッド２１３、Ｋ記録ヘッド２１４が設けられている。
【００４７】
各記録ヘッド２１１〜２１４にはインクが出射する複数のノズル２１１１、２１２１、２１３１、２１４１が設けられている。
各ノズル２１１１、２１２１、２１３１、２１４１は、図５（ｂ）に示すように、Ｎ個のノズルがピッチＰで並んでいるものとする。
【００４８】
尚、本実施の形態例では、Ｙインクタンク２２１と、Ｙ記録ヘッド２１１とが、又、Ｍインクタンク２２２と、Ｍ記録ヘッド２１２とが、又、Ｃインクタンク２２３と、Ｃ記録ヘッド２１３とが、更に、Ｋインクタンク２２４と、Ｋ記録ヘッド２１４とが一体となったカートリッジ形式とした。
【００４９】
（吸引手段６）
吸引手段６の斜視図である図６及び図６の断面構成図である図７を用いて説明する。
【００５０】
吸引手段６は、記録媒体１と対向する面に、一定間隔で複数の吸引穴６１が形成された箱体６０と、箱体６０内に設けられた２つの記録媒体吸引ファン６２ａ、６２ｂとからなっている。
【００５１】
記録媒体吸引ファン６２ａ、６２ｂが駆動されることによって、箱体６０内が負圧となり吸引穴６１が設けられた面に記録媒体が吸着し、記録媒体１の浮き上がりが防止される。
【００５２】
（インク乾燥手段７）
インク乾燥手段７の断面構成図である図８を用いて説明する。
インク乾燥手段７は、記録媒体１と対向する面に、複数の噴射穴７５が形成された箱体７０と、箱体７０内に設けられ、箱体７０外部の空気をた吸引するインク乾燥ファン７１と、インク乾燥ファン７１で吸引された空気を加熱するインク乾燥ヒータ７２とからなっている。
【００５３】
尚、本実施の形態例では、インク乾燥手段７から噴射される乾燥した空気によってキャリッジ２０の各記録ヘッド２１１〜２１４のノズル２１１１〜２１４１内のインクが乾燥してノズルつまりを起こすのを防止するために、噴射穴７５から噴射される空気流の方向をキャリッジ２０と反対側の方向になるように噴射穴７５の向きを設定している。
【００５４】
（電気的構成及び動作）
本実施の形態例の画像記録装置の電気的構成を説明するブロック図である図９を用いて説明する。
【００５５】
図において、１００は本実施の形態例の画像記録装置で記録する画像のデータ（画像の記録サイズ等のパラメータ、ＹＭＣＫに色分解された画像データ）を保存しているホストコンピュータである。ホストコンピュータ１００から送出される画像データはインターフェース部９１を介して本実施の形態例の画像記録装置の取り込まれる。
【００５６】
９２は取り込んだ画像データを一時格納する画像メモリ部、９３は多値画像階調を表現するための誤差拡散処理部、９４は画像メモリ上の画像データの並びと画像記録時の出力順序を変換するデータ並び替え処理部、９５は各記録ヘッド２１１〜２１４を駆動する記録ヘッドドライバである。
【００５７】
９８はリニアエンコーダ９７からの信号を取り込み、インクの出射タイミングのパルス信号を生成し、画像メモリ９２、誤差拡散処理部９３、データ並び替え処理部９４、記録ヘッドドライバ９５へ供給するインク出射タイミング生成部、９は各種制御を行うＣＰＵ等からなる制御部である。
【００５８】
１０１は操作者が制御部９に対してふちなし画像記録かふちなし画像記録かを指示する操作部である。
（動作）
図９を参照して、動作を説明する。
【００５９】
操作者が操作部１０１を介してがふちなし画像記録、ふちあり画像記録のどちらかを指示すると、それに応じて制御部９は以下の動作を行う。
▲１▼ふちなし画像記録の場合（第２のカットモード）
ここでは例として図１０（ａ）に示すように長さ６２ｍｍの画像を記録し、前後１ｍｍずつ切断し、長さ６０ｍｍのふちなしプリントを作成する場合について説明する。
【００６０】
なお、図１１に示すように記録ヘッド２１の最下流ノズル位置（図中基準位置Ａ）より４０ｍｍ離れて第１のカット手段５が、さらに２ｍｍ離れて第２のカット手段５′が配置されているものとする。
【００６１】
また、記録ヘッド２１には１２５ヶのノズルがピッチ８０μｍで並んでいるものとする。即ち、記録ヘッド２１の１回の走査で８０μｍ×１２５＝１ｍｍの長さの画像が記録できるものとする。
【００６２】
（１）ホストコンピュータ１００より記録すべき１つめの画像に関する、記録サイズ等の画像パラメータが転送される。
画像パラメータはインターフェース部９１を介し、制御部９に転送される。
【００６３】
（２）画像パラメータに続き、ホストコンピュータ１００より１つめの画像データが転送開始される。画像データはインターフェース部９１を介し、画像メモリ９２に転送される。
【００６４】
画像メモリ９２に所定量（一走査分）のデータが格納されると、制御部９は以下に説明する一連の動作を開始する。
（３）制御部９は、モータドライバ６３を作動し、吸引手段６の記録媒体吸引ファン６２ａ、６２ｂを駆動する。
【００６５】
（４）制御部９は、モータドライバ７３を作動し、インク乾燥ファン７１を駆動するとともに、インク乾燥ヒータ７２を作動させる。
（５）制御部９は、モータドライバ３２を作動し、ローラ駆動モータ３１を駆動してローラ対３を回転させて、記録媒体１を所定の記録開始位置まで搬送する。
【００６６】
本実施の形態例では、記録ヘッド２１の最下流側ノズル位置（図１１の基準位置Ａ）より１ｍｍ下流の位置に記録媒体１の先端を合わせる。
（６）制御部９は、モータドライバ２７を作動し、キャリッジ駆動モータ２６を駆動する。キャリッジ駆動モータ２６は、プーリ２５、ワイヤ２４を介し、記録ヘッド２１を搭載したキャリッジ２０をガイドバー２３に沿って、記録媒体１の搬送方向に対し略直交する方向に移動させる。
【００６７】
キャリッジ２０の移動に伴い、キャリッジ２０の移動方向に沿って設けられたリニアエンコーダ９７は、キャリッジ２０が所定量移動するごとにパルス信号を発生し、このパルス信号はインク射出タイミング生成部９８に入力される。インク射出タイミング生成部９８は、パルス信号を元にタイミング信号を生成し、画像メモリ９２、誤差拡散処理部９３、データ並び替え処理部９４、記録ヘッドドライバ９５に供給する。
【００６８】
これにより、画像メモリ９２から記録すべき画像のデータが順次読み出され、誤差拡散処理部９３、データ並び替え処理部９４を経て記録ヘッドドライバ９５に入力され、画像データに応じた信号がキャリッジ２０の移動と同期して記録ヘッド２１に供給され、記録ヘッド２１に設けられたノズル２１１１〜２１４１からＹ、Ｍ、Ｃ、Ｋのインクが記録媒体１に向けて射出され、記録媒体１上に画像が形成される。
【００６９】
この時、記録媒体１の搬送方向と略直交する方向の端よりはみ出す位置まで画像記録を行う。
（７）キャリッジ２０が記録画像のサイズに応じた所定量移動すると、制御部９はキャリッジ駆動モータ２６を停止し、キャリッジ２０を停止する。インクの射出も停止する。
【００７０】
（６）〜（７）の動作により第１の画像の前端１ｍｍが記録されたことになる。
（８）制御部９は、モータドライバ３２を作動し、ローラ駆動モータ３１を駆動してローラ対３を回転させて、記録媒体１を１ｍｍだけ搬送する。
【００７１】
（９）記録媒体１の所定量の搬送が終了すると、制御部９は、モータドライバ２７を作動し、キャリッジ駆動モータ２６を前回と逆方向に回転し、キャリッジ２０を前回と逆方向に移動する。以下、前回と同様に、キャリッジ２０の移動に同期して記録ヘッドよりインクが射出され、記録媒体１上に画像が形成される。
【００７２】
以下、（６）〜（９）を繰り返し、第１の画像を形成してゆく。
（１０）一方で、ホストコンピュータからは、画像データの転送が並行して行われ、インターフェース部９１を介して画像メモリ９２に順次格納されていく。画像メモリ内の既に画像記録された画像データが格納されているエリアは、空き領域として、新しい画像データが上書きされ、前のデータは消失する。
【００７３】
万一、ホストコンピュータ１００からの画像データ転送が間に合わず、画像メモリ９２に転送・格納された未記録画像データが所定量以下になってしまった場合は、制御部９はこれを検知して、格納データが所定量以上となるまで、キャリッジ２０の移動を開始しない。
【００７４】
逆に、ホストコンピュータ１００からの画像データ転送が速く、画像メモリに空き領域がなくなってしまうか、所定量以下になった場合は、画像の記録が進み、所定量以上の空き領域ができるまで、ホストコンピュータ１００からの画像データ転送を一時停止する。
【００７５】
（１１）記録ヘッド２１の走査と記録媒体１の搬送（１ｍｍずつ）を４１回繰り返すと、第１の画像の前端のカットすべき部位（図１０（ａ）の切断位置Ｐ１）が、第１のカット手段５の位置に達する。
【００７６】
制御部９は、モータドライバを作動し、カッター駆動モータ５３を駆動してプーリ５２を回転し、ワイヤ５１を介してかみそり刃５０を記録媒体１の搬送方向と垂直の方向に移動し、第１の画像の先端を切断する。
【００７７】
制御部９は、かみそり刃５０を記録媒体１の幅に応じた所定量の移動をした後、カッター駆動モータ５３を停止する。
（１２）第１の画像の先端切断後も前記（６）〜（９）の動作を繰り返し、第二の画像の残りを記録していく。
【００７８】
記録ヘッド２１の走査と記録媒体１の搬送（１ｍｍずつ）を２１回繰り返すと、第１の画像記録が終了する。
（１３）ホストコンピュータ１００から第１の画像データが全て転送されると、続けて第２の画像データが転送される。
【００７９】
（１４）制御部９は第１の画像と同様に前記（６）〜（９）の動作を繰り返し、第２の画像を記録していく。
（１５）記録ヘッド２１の走査と記録媒体１の搬送（１ｍｍずつ）を４１回繰り返すと、第１の画像の後端のカットすべき部位（図１０（ａ）の切断位置Ｐ２）が第２のカット手段５′の位置に、第２の画像の前端のカットすべき部位（図１０（ａ）の切断位置Ｐ３）が第１のカット手段５の位置に達する。
【００８０】
制御部９は、モータドライバ５４、５４′を作動し、カッター駆動モータ５３、５３′を駆動してプーリ５２、５２′を回転し、ワイヤ５１、５１′を介してかみそり刃５０、５０′を記録媒体１の搬送方向と垂直の方向に移動し、第１の画像の後端と第２の画像の前端が同時に切断される。
【００８１】
制御部９は、かみそり刃５０、５０′を記録媒体１の幅に応じた所定量移動した後、カッター駆動モータ５３、５３′を停止する。
（１６）切断された第１の画像が形成された記録媒体１２は、排紙皿８に積載される。
【００８２】
（１７）制御部９は前記（６）〜（９）の動作を繰り返し、第２の画像の残りを記録し、以後同様に画像の記録と切断を行う。
▲２▼ふちあり画像記録の場合（第１のカットモード）
ここでは、例として図１０（ｂ）に示すように、長さ５６ｍｍの画像を記録し、前後２ｍｍずつの余白をつけて長さ６０ｍｍのふちつきプリントを作成する場合について説明する。
【００８３】
なお、カッターは第２の記録モードの説明と同様に図１１に示すように記録ヘッド２１の最下流側ノズル位置（図中基準位置Ａ）より４０ｍｍ離れて第１のカット手段５が、さらに２ｍｍはなれて第２のカット手段５′が配置されているものとする。
【００８４】
また記録ヘッド２１には、１２５ヶのノズルがピッチ８０μｍで並んでいるものとする。すなわち、ヘッド１回の走査で８０μｍ×１２５＝１ｍｍの長さの画像が記録できるものとする。
【００８５】
（１）ホストコンピュータ１００より記録すべき１つめの画像に関する、記録サイズ等の画像パラメータが転送される。
画像パラメータはインターフェース部９１を介し、制御部９に転送される。
【００８６】
（２）画像パラメータに続き、ホストコンピュータ１００より１つめの画像データが転送開始される。画像データはインターフェース部９１を介し、画像メモリ９２に転送される。
【００８７】
画像メモリ９２に所定量（一走査分）のデータが格納されると、制御部９は以下に説明する一連の動作を開始する。
（３）制御部９は、モータドライバ６３を作動し、吸引手段６の記録媒体吸引ファン６２ａ、６２ｂを駆動する。
【００８８】
（４）制御部９は、モータドライバ７３を作動し、インク乾燥ファン７１を駆動するとともに、インク乾燥ヒータ７２を作動させる。
（５）制御部９は、モータドライバ３２を作動し、ローラ駆動モータ３１を駆動してローラ対３を回転させて、記録媒体１を所定の記録開始位置まで搬送する。
【００８９】
本実施の形態例では、記録ヘッド２１の最下流側ノズル位置（図１１基準位置Ａ）より２ｍｍ下流の位置に記録媒体１の先端を合わせる。
（６）制御部９は、モータドライバ２７を作動し、キャリッジ駆動モータ２６を駆動する。キャリッジ駆動モータ２６は、プーリ２５、ワイヤ２４を介し、記録ヘッド２１を搭載したキャリッジ２０をガイドバー２３に沿って、記録媒体１の搬送方向に対し略直交する方向に移動させる。
【００９０】
キャリッジ２０の移動に伴い、キャリッジ２０の移動方向に沿って設けられたリニアエンコーダ９７は、キャリッジ２０が所定量移動するごとにパルス信号を発生し、このパルス信号はインク射出タイミング生成部９８に入力される。インク射出タイミング生成部９８は、パルス信号を元にタイミング信号を生成し、画像メモリ９２、誤差拡散処理部９３、データ並び替え処理部９４、記録ヘッドドライバ９５に供給する。
【００９１】
これにより、画像メモリ９２から記録すべき画像のデータが順次読み出され、誤差拡散処理部９３、データ並び替え処理部９４を経て記録ヘッドドライバ９５に入力され、画像データに応じた信号がキャリッジ２０の移動と同期して記録ヘッド２１に供給され、記録ヘッド２１に設けられたノズル２１１１〜２１４１からＹ、Ｍ、Ｃ、Ｋのインクが記録媒体１に向けて射出され、記録媒体１上に画像が形成される。
【００９２】
この時、記録媒体１の搬送方向と略直交する方向の端より２ｍｍ内側の領域内に画像記録を行ない、ふちつきプリントとする。
（７）キャリッジ２０が記録画像のサイズに応じた所定量移動すると、制御部９はキャリッジ駆動モータ２６を停止し、キャリッジ２０を停止する。インクの射出も停止する。
【００９３】
（６）〜（７）の動作により、第１の画像の前端１ｍｍが記録されたことになる。
（８）制御部９は、モータドライバ３２を作動し、ローラ駆動モータ３１を駆動してローラ対３を回転させて、記録媒体１を画像記録長に相当する１ｍｍだけ搬送する。
【００９４】
（９）記録媒体１の所定量の搬送が終了すると、制御部９は、モータドライバ２７を作動し、キャリッジ駆動モータ２６を前回と逆方向に回転し、キャリッジ２０を前回と逆方向に移動する。以下、前回と同様に、キャリッジ２０の移動に同期して記録ヘッドよりインクが射出され、記録媒体１上に画像が形成される。
【００９５】
以下、（６）〜（９）を繰り返す。
（１０）一方で、ホストコンピュータからは、画像データの転送が並行して行われ、インターフェース部９１を介して画像メモリ９２に順次格納されていく。画像メモリ内の既に画像記録された画像データが格納されているエリアは、空き領域として、新しい画像データが上書きされ、前のデータは消失する。
【００９６】
万一、ホストコンピュータ１００からの画像データ転送が間に合わず、画像メモリ９２に転送・格納された未記録画像データが所定量以下になってしまった場合は、制御部９はこれを検知して、格納データが所定量以上となるまで、キャリッジ２０の移動を開始しない。
【００９７】
逆に、ホストコンピュータ１００からの画像データ転送が速く、画像メモリに空き領域がなくなってしまうか、所定量以下になった場合は、画像の記録が進み、所定量以上の空き領域ができるまで、ホストコンピュータ１００からの画像データ転送を一時停止する。
【００９８】
（１１）記録ヘッド２１の走査と、記録媒体１の搬送（１ｍｍずつ）を５６回繰り返すと第１の画像が全て記録される。
（１２）第１の画像の記録が終了したならば、制御部９はモータドライバ３２を作動し、駆動モータ３１を駆動して、ローラ対３を回転させ、記録媒体１を第１の画像と第２の画像の間の余白の長さに相当する４ｍｍだけ搬送する。
【００９９】
（１３）ホストコンピュータ１００から１つめの画像データが全て転送されると、続けて第２の画像が転送される。
（１４）制御部９は第１の画像と同様に前記（６）〜（９）の動作を繰り返し、第２の画像を記録していく。
【０１００】
（１５）  記録ヘッド２１の走査と記録媒体１の搬送（１ｍｍずつ）を３８回繰り返すと、第１の画像と第２の画像の境界の切断位置（図１０（ｂ）の切断位置Ｑ１）が第１のカット手段５の位置に達する。
【０１０１】
制御部９は、モータドライバ５４を作動し、本実施の形態例の場合には、第１のカット手段５のカッター駆動モータ５３を駆動してプーリ５２を回転し、ワイヤ５１を介してかみそり刃５０を記録媒体１の搬送方向と垂直の方向に移動し、記録媒体１を切断する。
【０１０２】
制御部９は、かみそり刃５０を記録媒体１の幅に応じた所定量移動した後、カッター駆動モータ５３を停止する。
（１６）切断された記録媒体１２は、排紙皿８に積載される。
【０１０３】
（１７）制御部９は、前記（６）〜（９）の動作を繰り返し、第２の画像の残りを記録し、以後同様に画像の記録と切断を行う。
次に、本実施の形態例で使用した記録媒体１の構成を図１２を用いて説明する。
【０１０４】
図に示すように、記録媒体１はベース１ａと、染料や顔料からなるインクを受けるインク受像層１ｃとの間に、インク溶剤吸収層１ｂを設けた三層構造となっている。
【０１０５】
インク溶剤吸収層１ｂとしては、以下のような構成のものを用いたがこれに限定するものではない。
尚、（％）は特に断りのない限り重量％を示す。
【０１０６】
＜酸化チタン分散液−１の調製＞
平均粒径が約０．２５μｍの酸化チタン２０ｋｇ（石原産業：Ｗ−１０）をｐＨ７．５のトリポリン酸ナトリウムを１５０ｇ、ポリビニルアルコール（クラレ株式会社：ＰＶＡ２３５、平均重合度３５００）５００ｇ、カチオン性ポリマー（Ｐ−１）の１５０ｇ及びサンノブコ株式会社消泡剤ＳＮ３８１を１０ｇ含有する水溶液９０ｌに添加し、高圧ホモジナイザー（三和工業株式会社製）で分散した後全量を１００ｌに仕上げて均一な酸化チタン分散液−１を得た。
【０１０７】
＜シリカ分散液−１の調製＞
１次粒子の平均粒径が約０．００７μｍの気相法シリカ（日本アエロジル工業株式会社：Ａ３００）１２５ｋｇを三田村理研工業株式会社製のジェットストリーム・インダクターミキサーＴＤＳを用いて、硝酸でｐＨ＝２．５に調整した６２０ｌの純水中に室温で吸引分散した後に、全量を６９４ｌに純水で仕上げた。この分散液を希釈した粒子の電子額微鏡写真を撮影したところ、ほとんどの粒子が０．０１μｍ以下のサイズであり１次粒子まで分散されていることを確認した。
【０１０８】
＜シリカ分散液−２の調製＞
カチオン性ポリマー（Ｐ−２）を１．４１ｋｇ、エタノール４．２ｌを含有する溶液（ｐＨ＝２．３）１８ｌに２５〜３０℃の温度範囲で、シリカ分散液−１の６９．４ｌを攪拌しながら２０分かけ添加し、ついでホウ酸２６０ｇとホウ砂２３０ｇを含有する水溶液（ｐＨ＝７．３）７．０ｌを約１０分かけて添加し、前記の消泡剤ＳＮ３８１を１ｇ添加した。この混合液を三和工業株式会社製高圧ホモジナイザーで２４．５ＭＰａ（２５０ｋｇｆ／平方ｃｍ）の圧力で２回分散し、全量を純水で９７ｌに仕上げてほぼ透明なシリカ分散液−３を調製した。
【０１０９】
＜蛍光増白剤分散液−１の調製＞
チバガイギー株式会社製の油溶性蛍光増白剤ＵＩＶＩＴＥＸ−ＯＢ・４００ｇをジイソデシルフタレート９０００ｇ及び酢酸エチル１２ｌに加熱溶剤し、これを酸処理ゼラチン３５００ｇ、カチオン性ポリマー（Ｐ−２）、サポニン５０％水溶液６０００ｍｌを含有する水溶液６５ｌに添加混合して三和工業株式会社製の高圧ホモジナイザーで２４．５Ｍｐａ（２５０ｋｇｆ／平方ｃｍ）の圧力で３回乳化分散し、減圧で酢酸エチルを除去した後全量を１００ｌに仕上げた。
この分散液のｐＨは約５．３であった。
【０１１０】
＜塗布液の調製＞
第１層、第２層、第３層の塗布液を以下の手順で調製した。
第１層用塗布液
シリカ分散液−３の６００ｍｌに４０℃で攪拌しながら、以下の添加剤を順次混合した。
（１）ポリビニルアルコール（クラレ工業株式会社製：ＰＶＡ２３５（平均重合度：３５００）の７％水溶液：１９４．６ｍｌ
（２）蛍光増白剤分散液−１：２５ｍｌ
（３）酸化チタン分散液−１：３３ｍｌ
（４）第一工業株式会社製：ラテックスエマルジョン・ＡＥ−８０３：１８ｍｌ
（５）純水で全量を１０００ｍｌに仕上げる。塗布液ｐＨは約４．４
第２層用塗布液
シリカ分散液一３の６５０ｍｌに４０℃で攪拌しながら、以下の添加剤を順次混合した。
（１）ポリビニルアルコール（クラレ工業株式会社製：ＰＶＡ２３５（平均重合度３５００）の７％溶液２０１．６ｍｌ
（２）蛍光増白剤分散液−１：３５ｍｌ
（３）褪色防止剤−１の５％水溶液：２０ｍｌ
（４）純水で全量を１０００ｍｌに仕上げる。塗布液ｐＨは約４．４
第３層塗布液
シリカ分散液−３の６５０ｍｌに４０℃で攪拌しながら、以下の添加剤を順次混合した。
（１）ポリビニルアルコール（クラレ工業株式会社製：ＰＶＡ２３５（平均重合度３５００）の７％水溶液：２０１．６ｍｌ
（２）シリコン分散液（東レ・ダウコーニング・シリコーン株式会社製・ＢＹ−２２−８３９）：１５ｍｌ
（３）サポニン５０％水溶液：４ｍｌ
（４）純水で全量を１０００ｍｌに仕上げる。塗布液のｐＨは約４．５
褪色防止剤−１の５％水溶液の調製：Ｎ、Ｎ−ジスルホエチルヒドロキシアミンー２ナトリウム塩５ｇをカチオン性ポリマー（Ｐ−１３）を３ｇ含有する９０ｍｌの水に溶剤して全量を１００ｍｌに仕上げる。
【０１１１】
上記のように得られた塗布液を下記のフィルターで濾過した。
第１層と第２層：東洋液紙株式会社製ＴＣＰｌＯで２段、
第３層：東洋濾紙株式会社製ＴＣＰ３０で２段、ついで両面をポリエチレンで被覆した紙支持体（厚みが２２０μｍでインク吸収層面のポリエチレン中にはポリエチレンに対して１３重量％のアナターゼ型酸化チタン含有）にインク溶剤吸収層としての第１層（５０μｍ）、第２層（１００μｍ）、インク受像層としての第３層（５０μｍ）の順になるように各層を塗布した。括弧内はそれぞれ湿潤膜厚を示し、第１層〜第３層は同時塗布した。
【０１１２】
塗布はそれぞれの塗布液を４０℃で３層式スライドホッパーで塗布を行い、塗布直度に０℃に保たれた冷却ゾーンで２０秒冷却した後、２５℃の風（相対湿度１５％）で６０秒間、４５℃の風（相対湿度が２５％）で６０秒間、５０℃の風（相対湿度が２５％）で６０秒間順次乾燥し、２０〜２５℃、相対湿度が４０〜６０℃の雰囲気下で２分間調湿して試料を巻き取り記録媒体１を得た。
【０１１３】
上記構成によれば、以下のような効果を得ることができる。
（１）記録後の記録媒体１の搬送方向と略直行する方向に間隔をあけて記録媒体１を一度に切断可能な第１および第２のカット手段５、５′を有することにより、ふちなし画像記録を行っても処理時間が短くなる。
【０１１４】
（２）制御手段９は、第１および第２のカット手段５、５′のうちの一つのカット手段（本実施の形態例では、第１のカット手段５）を作動させる第１のカットモード及び第１および第２のカット手段５、５′の両方を作動させる第２のカットモードを選択的に行なうことにより、ふちなし画像記録を行う場合は第２のカットモードで第１および第２のカット手段５、５′を作動させ、記録媒体１の搬送方向と略直行する方向に間隔をあけて前記記録媒体を一度に切断する。
【０１１５】
よって、ふちなし画像記録を行っても処理時間が短くなる。
さらに、第１のカットモードで、第１のカット手段５を作動させることにより、ふちあり画像記録の切断も行うことができる。
【０１１６】
（３）記録媒体１のベース１ａと、インクを受けるインク受像層１ｃとの間に、インク溶剤吸収層１ｂを設け、噴射されたインクの色材がインク受像層１ｃに吸収されるとともに、インク溶剤がインク溶剤吸収層に吸収し、インクの色材と溶剤が分離することにより、第１および第２のカット手段５、５′のかみそり刃５０、５０′が汚れない。
【０１１７】
なお、本発明は、上記実施の形態例に限定するものではない。
上記実施の形態例では、第１および第２のカット手段５、５′にかみそり刃５０、５０′を用いて例で説明を行ったが、以下のような構成のカット手段でもよい。
【０１１８】
（１）図１３（ａ）、図１３（ａ）のＡ方向矢視図である図１３（ｂ）に示すように記録媒体１の搬送方向ＩＩと略直行する方向に移動するスライダ５００、５００′に設けられた２つのロータリカッター５０１、５０１′。
【０１１９】
（２）図１４（ａ）、図１４（ａ）のＢ方向矢視図である図１４（ｂ）に示すように記録媒体１の搬送方向ＩＩと略直行する方向に設けられ、二つの刃面５１２ａ、５１２ｂを有する下刃５１２と、下刃５１２に対向し上下方向に独立に移動可能な上刃５１１、５１１′とからなる二つのギロチンカッター。
【０１２０】
また、第１のカットモードを行わない場合、即ち、ふちあり画像記録を行わない場合、以下のような構成のカット手段でもよい。
即ち、図１５（ａ）、図１５（ａ）のＣ方向矢視図である図１５（ｂ）に示すように、記録媒体１の搬送方向ＩＩと略直行する方向に伸びる二つの刃面５３１ａ、５３１ｂが間隔をあけて形成され、上下方向に移動可能な上刃５３１と、上刃５３１に対向し、二つの刃面５３２ａ、５３２ｂを有する下刃５３２とからなる打ち抜きカッターでもよい。
【０１２１】
この場合、一つの上刃５３１で記録後の記録媒体１の搬送方向と略直行する方向に間隔をあけて記録媒体１を一度に切断可能なことにより、コストダウンが図れる。
【０１２２】
さらに、記録媒体１の搬送方向ＩＩと略直行する方向に移動する必要があるかみそり刃５０、５０′、ロータリカッター５００、５００′を記録手段２のキャリッジ２０に設けることも可能である。
【０１２３】
【発明の効果】
以上述べたように、請求項１記載の発明によれば、記録後の前記記録媒体の搬送方向と略直行する方向に間隔をあけて前記記録媒体を一度に切断可能なカット手段を有することにより、ふちなし画像記録を行っても処理時間が短くなる。
【０１２４】
請求項２記載の発明によれば、前記カット手段は、前記記録媒体の搬送方向と略直行する方向に移動する二つのロータリカッターであることにより、ふちなし画像記録を行っても処理時間が短くなる。
【０１２５】
請求項３記載の発明によれば、前記記録媒体の搬送方向と略直行する方向に移動する二つのかみそりカッターであることにより、ふちなし画像記録を行っても処理時間が短くなる。
【０１２６】
請求項４記載の発明によれば、前記カット手段は、二つのギロチンカッターであることにより、ふちなし画像記録を行っても処理時間が短くなる。
請求項５記載の発明によれば、前記カット手段は、前記記録媒体の搬送方向と略直行する方向に伸びる二つの刃面が間隔をあけて形成され、上下方向に移動する上刃を用いた打ち抜きカッターであることにより、ふちなし画像記録を行っても処理時間が短くなる。
【０１２７】
さらに、一つの上刃で記録後の前記記録媒体の搬送方向と略直行する方向に間隔をあけて前記記録媒体を一度に切断可能なことにより、コストダウンが図れる。
【０１２８】
請求項６記載の発明によれば、制御手段は、前記二つのカット手段のうちの一つのカット手段を作動させる第１のカットモード及び前記二つのカット手段の両方を作動させる第２のカットモードを選択的に行なうことにより、ふちなし画像記録を行う場合は第２のカットモードで二つのカット手段を作動させ、前記記録媒体の搬送方向と略直行する方向に間隔をあけて前記記録媒体を一度に切断する。
【０１２９】
よって、ふちなし画像記録を行っても処理時間が短くなる。
さらに、第１のカットモードで二つのカット手段のうちの１つを作動させることにより、ふちあり画像記録の切断も行うことができる。
【０１３０】
請求項７記載の発明によれば、前記記録ヘッドを前記記録媒体の搬送方向と略直行する方向に移動させるキャリッジに、前記カッターを設けたことにより、カッター単独で記録媒体の搬送方向と略直行する方向に移動させる機構が不要となり、コストダウンが図れる。
【０１３１】
請求項８記載の発明によれば、前記カット手段を清掃するクリーニング手段を設けたことにより、カット手段が汚れない。
【図面の簡単な説明】
【図１】実施の形態例の画像記録装置の全体構成を示す斜視図である。
【図２】図１の矢印ＩＩＩ正面から見た断面構成図である。
【図３】図１のキャリッジの斜視図である。
【図４】図３の矢印ＩＶ方向から見た図である。
【図５】図３の矢印Ｖ方向から見た図である。
【図６】図１の吸引手段の斜視図である。
【図７】図６の断面構成図である。
【図８】図１のインク乾燥手段の断面構成図である。
【図９】実施の形態例の画像記録装置の電気的構成を説明するブロック図である。
【図１０】記録媒体への画像記録と切断位置の一例を示す図である。
【図１１】記録ヘッドとカット手段の配置の一例を示す図である。
【図１２】記録紙の断面図である。
【図１３】他の例を説明する図である。
【図１４】他の例を説明する図である。
【図１５】他の例を説明する図である。
【図１６】従来の画像記録装置の構成図である。
【図１７】ふちなし画像記録の一例を示す図である。
【符号の説明】
１  記録媒体
５  第１のカット手段
５′  第２のカット手段
９  制御部
【図１】
0003975645.tif 000002
【図２】
0003975645.tif 000003
【図３】
0003975645.tif 000004
【図４】
0003975645.tif 000005
【図５】
0003975645.tif 000006
【図６】
0003975645.tif 000007
【図７】
0003975645.tif 000008
【図８】
0003975645.tif 000009
【図９】
0003975645.tif 000010
【図１０】
0003975645.tif 000011
【図１１】
0003975645.tif 000012
【図１２】
0003975645.tif 000013
【図１３】
0003975645.tif 000014
【図１４】
0003975645.tif 000015
【図１５】
0003975645.tif 000016
【図１６】
0003975645.tif 000017
【図１７】
0003975645.tif 000018